(57)【要約】【課題】サイズの小さなＳＤメモリーカード（ミニＳＤメモリーカードを含む）やプレイステーション２用のメモリーカードなどを保管するに際し、紛失しにくくしたメモリーカード用収納体を提供する。【解決手段】平板状の盤体１にＳＤメモリーカード２を盤体１の一方の面より嵌め込むためにＳＤメモリーカード２の外形に合う形の孔部３が形成されており、孔部３の底部には周囲にＳＤメモリーカード２の裏面周辺部を受ける段部４が形成されており、前記孔部３の大きさはＳＤメモリーカード２よりも僅かに小さくなっており、ＳＤメモリーカード２の外周面と孔部３の内周面との間の遊びが存在しないように構成され、さらにＳＤメモリーカード２を保持した盤体１を１枚収納できるように、偏平な本体部６と蓋体７とからなるケース５を備えてなる。【選択図】図５
2007241581.tif 000002
【特許請求の範囲】
【請求項１】
平板状の盤体にメモリーカードを盤体の一方の面より嵌め込むためにメモリーカードの外形に合う形の孔部が１つ乃至複数形成されており、孔部の底部には周囲にメモリーカードの裏面周辺部を受ける段部が形成されており、前記孔部の大きさはメモリーカードよりも僅かに小さくなっており、メモリーカードの外周面と孔部の内周面との間の遊びが存在しないように構成され、さらにメモリーカードを保持した盤体を１枚収納できるように、偏平な本体部と蓋体とからなるケースを備えてなることを特徴とするメモリーカード用収納体。
【請求項２】
平板状の盤体にメモリーカードを盤体の一方の面より嵌め込むためにメモリーカードの外形に合う形の凹部が１つ乃至複数形成されており、前記凹部の大きさはメモリーカードよりも僅かに小さくなっており、メモリーカードの外周面と凹部の内周面との間の遊びが存在しないように構成され、さらにメモリーカードを保持した盤体を１枚収納できるように、偏平な本体部と蓋体とからなるケースを備えてなることを特徴とするメモリーカード用収納体。
【請求項３】
平板状の盤体にメモリーカードを盤体の一方の面より嵌め込むためにメモリーカードの外形に合う形の孔部が１つ乃至複数形成されており、孔部の底部には周囲にメモリーカードの裏面周辺部を受ける段部が形成されており、前記孔部の内周面にはメモリーカードの外周の一部に圧接する凸部が形成され、さらにメモリーカードを保持した盤体を１枚収納できるように、偏平な本体部と蓋体とからなるケースを備えてなることを特徴とするメモリーカード用収納体。
【請求項４】
平板状の盤体にメモリーカードを盤体の一方の面より嵌め込むためにメモリーカードの外形に合う形の凹部が１つ乃至複数形成されており、前記凹部の内周面にはメモリーカードの外周の一部に圧接する凸部が形成され、さらにメモリーカードを保持した盤体を１枚収納できるように、偏平な本体部と蓋体とからなるケースを備えてなることを特徴とするメモリーカード用収納体。
【請求項５】
盤体は直径がコンパクトディスクと同サイズの１２ｃｍの円盤であることを特徴とする請求項１から４までの何れか１項記載のメモリーカード用収納体。
【発明の詳細な説明】
【技術分野】
【０００１】
本発明は、ＳＤメモリーカード（ミニＳＤメモリーカードを含む）やプレイステーション２用のメモリーカード、ｘＤピクチャーカード、スマートメディア、コンパクトフラッシュ（登録商標）、メモリースティックなどのメモリーカードを家庭などで収納して保管するためのメモリーカード用収納体に関するものである。
【背景技術】
【０００２】
例えば、ＳＤメモリーカードは一般に合成樹脂製のケースに収納されて店頭などで販売されており、購入者が家庭などで購入時にＳＤメモリーカードが収納されていた合成樹脂製のケースを保管用として使用しているのが現実である。つまり、ＳＤメモリーカードはその大きさに合ったケースに収納されて保管されるのが一般的である。なお、ＳＤメモリーカードを保管用として収納するケースの一例として例えば特許文献１に開示されているようなＳＤメモリーカード用ケースが知られているが、このケースもＳＤメモリーカードの大きさに合うように作られている。
【特許文献１】特開２００４−２１９６４号公報
【発明の開示】
【発明が解決しようとする課題】
【０００３】
しかしながら、上記した市販用のケースや特許文献１に開示されているケースは何れもＳＤメモリーカードの大きさに合うように作られていることから、サイズが小さく、保管していても紛失しやすいという問題があった。
【０００４】
本発明の目的は、このような課題を解決するものであり、サイズの小さなＳＤメモリーカード（ミニＳＤメモリーカードを含む）やプレイステーション２用のメモリーカードあるいはｘＤピクチャーカード、スマートメディア、コンパクトフラッシュ（登録商標）、メモリースティックなどのメモリーカードなどを保管するに際し、紛失しにくくしたメモリーカード用収納体を提供することにある。
【課題を解決するための手段】
【０００５】
本発明の請求項１に記載のメモリーカード用収納体は、平板状の盤体にメモリーカードを盤体の一方の面より嵌め込むためにメモリーカードの外形に合う形の孔部が１つ乃至複数形成されており、孔部の底部には周囲にメモリーカードの裏面周辺部を受ける段部が形成されており、前記孔部の大きさはメモリーカードよりも僅かに小さくなっており、メモリーカードの外周面と孔部の内周面との間の遊びが存在しないように構成され、さらにメモリーカードを保持した盤体を１枚収納できるように、偏平な本体部と蓋体とからなるケースを備えてなることを特徴とする。
【０００６】
請求項２に記載のメモリーカード用収納体は、平板状の盤体にメモリーカードを盤体の一方の面より嵌め込むためにメモリーカードの外形に合う形の凹部が１つ乃至複数形成されており、前記凹部の大きさはメモリーカードよりも僅かに小さくなっており、メモリーカードの外周面と凹部の内周面との間の遊びが存在しないように構成され、さらにメモリーカードを保持した盤体を１枚収納できるように、偏平な本体部と蓋体とからなるケースを備えてなることを特徴とする。
【０００７】
請求項３に記載のメモリーカード用収納体は、平板状の盤体にメモリーカードを盤体の一方の面より嵌め込むためにメモリーカードの外形に合う形の孔部が１つ乃至複数形成されており、孔部の底部には周囲にメモリーカードの裏面周辺部を受ける段部が形成されており、前記孔部の内周面にはメモリーカードの外周の一部に圧接する凸部が形成され、さらにメモリーカードを保持した盤体を１枚収納できるように、偏平な本体部と蓋体とからなるケースを備えてなることを特徴とする。
【０００８】
請求項４に記載のメモリーカード用収納体は、平板状の盤体にメモリーカードを盤体の一方の面より嵌め込むためにメモリーカードの外形に合う形の凹部が１つ乃至複数形成されており、前記凹部の内周面にはメモリーカードの外周の一部に圧接する凸部が形成され、さらにメモリーカードを保持した盤体を１枚収納できるように、偏平な本体部と蓋体とからなるケースを備えてなることを特徴とする。
【０００９】
請求項５に記載のメモリーカード用収納体は、盤体は直径がコンパクトディスクと同サイズの１２ｃｍの円盤であることを特徴とする。
【発明の効果】
【００１０】
以上のように、本発明のメモリーカード用収納体は、盤体の孔部もしくは凹部にメモリーカードを嵌め込んで保持し、この状態でケースに収納するように構成されているので、サイズの小さなＳＤメモリーカード（ミニＳＤメモリーカードを含む）やプレイステーション２用のメモリーカードあるいはｘＤピクチャーカード、スマートメディア、コンパクトフラッシュ（登録商標）、メモリースティックなどのメモリーカードなどを保管するに際し、紛失する恐れが少なくすることができる。
【発明を実施するための最良の形態】
【００１１】
以下、本発明の実施の形態を、図面を用いて具体的に説明する。
先ず、図１〜図５に示す第１の実施の形態について説明すると、１は直径がコンパクトディスクと同サイズの１２ｃｍ、厚さがコンパクトディスクよりも厚い２ｍｍの合成樹脂製で外形が円形の平板状の盤体で、この盤体１には縦３２ｍｍ×横２４ｍｍ×厚さ２．１ｍｍの通常の大きさのＳＤメモリーカード２を盤体１の一方の面より嵌め込むためにＳＤメモリーカード２の外形に合う形の孔部３が形成されている。孔部３の底部には周囲にＳＤメモリーカード２の裏面周辺部を受ける段部４が形成されている。また、孔部３の大きさはＳＤメモリーカード２よりも僅かに小さくなっており、ＳＤメモリーカード２の外周面と孔部３の内周面との間の遊びが存在せず、ＳＤメモリーカード２が孔部３から勝手に抜け外れないように構成されている。図面に示す実施の形態では盤体１に複数、詳しくは等角度おきに４箇所の孔部３が形成されており、１枚の盤体１に対し４枚のＳＤメモリーカード２を同時に保持できるようになっている。
【００１２】
なお、ＳＤメモリーカードには前記縦３２ｍｍ×横２４ｍｍ×厚さ２．１ｍｍの大きさのＳＤメモリーカード２よりもサイズの小さな縦２１．５ｍｍ×横２０ｍｍ×厚さ１．４ｍｍのミニＳＤメモリーカードも存在し、盤体１にこのミニＳＤメモリーカードを嵌め込むための孔部を前記孔部３と同様の構成で形成するようにしても良い。
【００１３】
以上のように孔部３にＳＤメモリーカード２を嵌め込んで保持した盤体１は保管時において合成樹脂製のケース５に収納されるようになっている。ケース５はＳＤメモリーカード２を嵌め込んで保持した盤体１を１枚収納できるように、偏平な本体部６と、この本体部６に回動自在に枢結される蓋体７とから構成され、本体部６には盤体１の中央の丸孔１ａに嵌り込む爪部８が設けられ、この爪部８に盤体１の丸孔１ａを嵌めて盤体１を本体部６に固定した後、蓋体７を閉じるようになっている。
【００１４】
ところで、以上述べた第１の実施の形態では１枚の盤体１に対し４枚のＳＤメモリーカード２を同時に保持できるようになっているが、図６および図７に示す第２の実施の形態のように、１枚の盤体１にＳＤメモリーカード２とミニＳＤメモリーカード９を嵌め込み保持するための孔部３，１０を形成し、ＳＤメモリーカード２とミニＳＤメモリーカード９を同時に保持するようにしても良い。１１は前記孔部１０の底部の周囲にミニＳＤメモリーカード９の裏面周辺部を受けるために形成された段部である。
【００１５】
また、ＳＤメモリーカード２を保持するための孔部３にミニＳＤメモリーカード用のアダプターを保持するようにしても良い。
図８および図９は孔部３や１０に嵌め込まれたＳＤメモリーカード２やミニＳＤメモリーカード９を保持するために孔部３や１０の内周面にＳＤメモリーカード２やミニＳＤメモリーカード９の外周の一部に圧接する凸部１２が形成された第３の実施の形態を示し、孔部３や１０の角部を除く４辺の中央部にそれぞれ凸部１２が形成されている。
【００１６】
図１０はＳＤメモリーカード２やミニＳＤメモリーカード９を嵌め込み保持するために孔部に代えて盤体１に凹部１３を形成した第４の実施の形態を示し、この場合でも図面では示されていないが凹部１３の内周面にＳＤメモリーカード２やミニＳＤメモリーカード９の外周の一部に圧接する凸部を形成することが可能である。
【００１７】
さらに、図面では示されていないが、盤体１に保持するためのメモリーカードとしてはＳＤメモリーカード２やミニＳＤメモリーカード９の他に、プレイステーション２用のメモリーカードやｘＤピクチャーカード、スマートメディア、コンパクトフラッシュ（登録商標）、メモリースティックなどのメモリーカードなどを保持することも可能である。
【００１８】
さらに、前記盤体１の厚さは前記２ｍｍに限定されるものではなく、２ｍｍより厚くても良い。また、前記盤体１の材料は合成樹脂に限定されるものではなく、木材あるいは金属などであっても良い。また、前記盤体１の形状は外形が円形に限定されるものではなく、角形であっても良く、盤体１に形成される孔部３，１０や凹部１３の数は１つ乃至複数であれば良い。
【図面の簡単な説明】
【００１９】
【図１】本発明の第１の実施の形態における盤体の斜視図である。
【図２】同盤体の要部拡大断面図である。
【図３】同盤体にＳＤメモリーカードを保持した状態を示す斜視図である。
【図４】同盤体にＳＤメモリーカードを保持した状態を示す要部拡大断面図である。
【図５】同ＳＤメモリーカードを保持した盤体をケースに収納する状態を示す斜視図である。
【図６】本発明の第２の実施の形態における盤体の斜視図である。
【図７】同盤体にＳＤメモリーカードとミニＳＤメモリーカードを保持した状態を示す斜視図である。
【図８】本発明の第３の実施の形態における盤体の要部拡大平面図である。
【図９】同盤体の要部拡大断面図である。
【図１０】本発明の第４の実施の形態における盤体の要部拡大断面図である。
【符号の説明】
【００２０】
１      盤体
１ａ    丸孔
２      ＳＤメモリーカード
３      孔部
４      段部
５      ケース
６      本体部
７      蓋体
８      爪部
９      ミニＳＤメモリーカード
１０      孔部
１１      段部
１２      凸部
１３      凹部
【図１】
2007241581.tif 000003
【図２】
2007241581.tif 000004
【図３】
2007241581.tif 000005
【図４】
2007241581.tif 000006
【図５】
2007241581.tif 000007
【図６】
2007241581.tif 000008
【図７】
2007241581.tif 000009
【図８】
2007241581.tif 000010
【図９】
2007241581.tif 000011
【図１０】
2007241581.tif 000012